(57)【特許請求の範囲】
【請求項１】
物体側から順に配置された、正の屈折力の第１レンズ群と、負の屈折力の第２レンズ群と、正の屈折力の第３レンズ群と、正の屈折力の第４レンズ群と、後続レンズ群とから構成され、
広角端から望遠端への変倍の際に隣り合うレンズ群間の間隔が変化し、前記第１レンズ群及び前記第２レンズ群の間隔が大きくなり、前記第２レンズ群及び前記第３レンズ群の間隔が小さくなるように、少なくとも前記第２レンズ群を移動させ、
前記後続レンズ群は、物体側から順に配置された、負の屈折力の第５レンズ群と、正の屈折力の第６レンズ群とからなり、
前記第５レンズ群は正レンズを有し、
以下の条件式（１）、条件式（２）、条件式（３）及び条件式（６）を満足することを特徴とする変倍光学系。
（１）  ３．０  ＜  ｜ｍ２／ｆ２｜  ＜  １２．０
（２）  ０．４５  ＜  （β２ｔ／β２ｗ）／（Ｆｔ／Ｆｗ）  ＜  １．０
（３）  ３．０  ＜  ｜β２ｔ｜  ＜  ９．０
（６）  ０．３＜  ＴＴＬ／Ｆｔ  ＜  ０．８
但し、
ｍ２は、広角端から望遠端への変倍の際の前記第２レンズ群の光軸方向における移動量であり、
ｆ２は、前記第２レンズ群の焦点距離であり、
β２ｗは、広角端における前記第２レンズ群の横倍率であり、
β２ｔは、望遠端における前記第２レンズ群の横倍率であり、
Ｆｗは、広角端における当該変倍光学系全系の焦点距離であり、
Ｆｔは、望遠端における当該変倍光学系全系の焦点距離であり、
ＴＴＬは、望遠端における当該変倍光学系全系の全長である。
【請求項２】
物体側から順に配置された、正の屈折力の第１レンズ群と、負の屈折力の第２レンズ群と、正の屈折力の第３レンズ群と、正の屈折力の第４レンズ群と、後続レンズ群とから構成され、
広角端から望遠端への変倍の際に隣り合うレンズ群間の間隔が変化し、前記第１レンズ群及び前記第２レンズ群の間隔が大きくなり、前記第２レンズ群及び前記第３レンズ群の間隔が小さくなるように、少なくとも前記第２レンズ群を移動させ、
前記第３レンズ群は絞りを備え、
広角端から望遠端への変倍の際に、前記第３レンズ群及び前記絞りを光軸方向に固定し、
前記後続レンズ群は、物体側から順に配置された、負の屈折力の第５レンズ群と、正の屈折力の第６レンズ群とからなり、
前記第５レンズ群は正レンズを有し、
以下の条件式（１）、条件式（２）及び条件式（６）を満足することを特徴とする変倍光学系。
（１）  ３．０  ＜  ｜ｍ２／ｆ２｜  ＜  １２．０
（２）  ０．４５  ＜  （β２ｔ／β２ｗ）／（Ｆｔ／Ｆｗ）  ＜  １．０
（６）  ０．３＜  ＴＴＬ／Ｆｔ  ＜  ０．８
但し、
ｍ２は、広角端から望遠端への変倍の際の前記第２レンズ群の光軸方向における移動量であり、
ｆ２は、前記第２レンズ群の焦点距離であり、
β２ｗは、広角端における前記第２レンズ群の横倍率であり、
β２ｔは、望遠端における前記第２レンズ群の横倍率であり、
Ｆｗは、広角端における当該変倍光学系全系の焦点距離であり、
Ｆｔは、望遠端における当該変倍光学系全系の焦点距離であり、
ＴＴＬは、望遠端における当該変倍光学系全系の全長である。
【請求項３】
広角端から望遠端への変倍の際に、前記第１レンズ群を光軸方向に固定し、前記第２レンズ群を像側に移動させる請求項１又は請求項２に記載の変倍光学系。
【請求項４】
以下の条件式（４）を満足する請求項１から請求項３のいずれか一項に記載の変倍光学系。
（４）  ０．０８  ＜  ｜ｆ４／Ｆｔ｜  ＜  ０．３
但し、
ｆ４は、前記第４レンズ群の焦点距離である。
【請求項５】
前記後続レンズ群の最も物体側に、第５レンズ群を備え、
以下の条件式（５）を満足する請求項１から請求項４のいずれか一項に記載の変倍光学系。
（５）  ０．０８  ＜  ｜ｆ５／Ｆｔ｜  ＜  ０．３
但し、
ｆ５は、前記第５レンズ群の焦点距離である。
【請求項６】
広角端から望遠端への変倍の際に、前記第４レンズ群を移動させる請求項１から請求項５のいずれか一項に記載の変倍光学系。
【請求項７】
広角端から望遠端への変倍の際に、前記後続レンズ群において最も物体側に配置された第５レンズ群を移動させる請求項１から請求項６のいずれか一項に記載の変倍光学系。
【請求項８】
当該変倍光学系は絞りを備え、当該絞りよりも像側に配置されたレンズ群のうち、少なくともいずれか一のレンズ群を光軸方向に移動させることにより、無限遠から近距離物体への合焦を行う請求項１から請求項７のいずれか一項に記載の変倍光学系。
【請求項９】
請求項１から請求項８のいずれか一項に記載の変倍光学系と、当該変倍光学系の像側に、当該変倍光学系によって形成された光学像を電気的信号に変換する撮像素子とを備えたことを特徴とする撮像装置。
【発明の詳細な説明】
【技術分野】
【０００１】
本発明は、変倍光学系及び撮像装置に関し、特に、デジタルスチルカメラやデジタルビデオカメラ等の固体撮像素子（ＣＣＤやＣＭＯＳ等）を用いた撮像装置に好適な変倍光学系及び撮像装置に関する。
【背景技術】
【０００２】
従来より、デジタルスチルカメラやデジタルビデオカメラ等の固体撮像素子を用いた撮像装置が広く普及している。このような撮像装置に用いられる光学系として、焦点距離を変更可能な変倍光学系が広く用いられている。変倍光学系は、監視用撮像装置の光学系としても広く採用されている。変倍比の高い変倍光学系を用いれば、監視領域等に応じて焦点距離を調節することができるため、種々のニーズに対応することが容易になる。また、監視用撮像装置は常時使用されるため、大口径の明るい変倍光学系が求められている。大口径の変倍光学系であれば、光量の乏しい時間帯も鮮明な被写体像を得ることができるためである。
【０００３】
また、近年では、固体撮像素子の高画素化、高感度化が進み、フルハイビジョン以上の解像度に対応可能な変倍光学系が求められている。また、監視用撮像装置の小型化に対する要望は大きく、変倍光学系の小型化も強く求められている。
【０００４】
従来の変倍光学系として、例えば、特許文献１には、物体側から順に、正の屈折力の第１レンズ群、負の屈折力の第２レンズ群、正の屈折力の第３レンズ群、正の屈折力の第４レンズ群、負の屈折力の第５レンズ群及び正の屈折力の第６レンズ群から構成され、第１レンズ群を固定し、第２レンズ群〜第５レンズ群をそれぞれ互いに異なる軌跡で移動させることで広角端から望遠端へ変倍するズームレンズが提案されている。当該ズームレンズは、望遠端における第２レンズ群の横倍率の絶対値が大きく、そのため高い変倍比を実現している。しかしながら、当該ズームレンズでは、広角端から望遠端における第２レンズ群の横倍率変化が小さく、十分な小型化を図ることが困難である。
【０００５】
特許文献２には、物体側から順に、正の屈折力の第１レンズ群、負の屈折力の第２レンズ群、正の屈折力の第３レンズ群、第４レンズ群、第５レンズ群及び第６レンズ群から構成され、各レンズ群間の間隔を変化させることにより広角端から望遠端へ変倍するズームレンズが提案されている。当該ズームレンズでは、４つ以上のレンズ群を変倍時の可動群とすることで、諸収差を良好に補正している。しかしながら、望遠端における第２レンズ群の横倍率の絶対値が小さいため、高い変倍比を実現することが困難である。
【０００６】
特許文献３には、回動可能なカメラ本体内にズームレンズを収容したドームカメラが提案されている。当該ズームレンズでは、望遠端における第２レンズ群の横倍率の絶対値が大きいため、高い変倍比を実現している。また、当該ドームカメラは補正光学系を備え、カメラ本体の回動角に応じて、チルト、偏芯及び回動の少なくとも一つを行うため、画質劣化の抑制が可能であるとしている。しかしながら、当該ズームレンズでは、広角端から望遠端における第２レンズ群の横倍率変化が小さく、十分な小型化を図ることが困難である。
【先行技術文献】
【特許文献】
【０００７】
【特許文献１】特開２０１５−１４６７８号公報
【特許文献２】特開２０１５−８４０３８号公報
【特許文献３】特開２０１５−１８００４４号公報
【発明の概要】
【発明が解決しようとする課題】
【０００８】
本件発明の課題は、高い変倍比を有し、且つ、変倍域全域にわたって良好な光学性能を有する小型の変倍光学系及び撮像装置を提供することにある。
【課題を解決するための手段】
【０００９】
上記課題を解決するために、本件発明に係る変倍光学系は、物体側から順に配置された、正の屈折力の第１レンズ群と、負の屈折力の第２レンズ群と、正の屈折力の第３レンズ群と、正の屈折力の第４レンズ群と、後続レンズ群とから構成され、広角端から望遠端への変倍の際に、前記第１レンズ群及び前記第２レンズ群の間隔が大きくなり、前記第２レンズ群及び前記第３レンズ群の間隔が小さくなるように、少なくとも第２レンズ群を移動させ、以下の条件式（１）及び条件式（２）を満足することを特徴とする。
【００１０】
（１）  ３．０  ＜  ｜ｍ２／ｆ２｜  ＜  １２．０
（２）    ０．４５  ＜  （β２ｔ／β２ｗ）／（Ｆｔ／Ｆｗ）  ＜  １．０
【００１１】
但し、
ｍ２は、広角端から望遠端への変倍の際の前記第２レンズ群の光軸方向における移動量であり、
ｆ２は、前記第２レンズ群の焦点距離であり、
β２ｗは、広角端における前記第２レンズ群の横倍率であり、
β２ｔは、望遠端における前記第２レンズ群の横倍率であり、
Ｆｗは、広角端における当該変倍光学系全系の焦点距離であり、
Ｆｔは、望遠端における当該変倍光学系全系の焦点距離である。
【００１２】
また、上記課題を解決するために、本件発明に係る撮像装置は、上記本件発明に係る変倍光学系と、当該変倍光学系の像側に、当該変倍光学系によって形成された光学像を電気的信号に変換する撮像素子とを備えたことを特徴とする。
【発明の効果】
【００１３】
本件発明によれば、高い変倍比を有し、且つ、変倍域全域にわたって良好な光学性能を有する小型の変倍光学系及び撮像装置を提供することができる。
【図面の簡単な説明】
【００１４】
【図１】本件発明の参考例１の変倍光学系のレンズ構成例を示す断面図であり、上段が広角端合焦状態、中段が中間焦点位置合焦状態、下段が望遠端合焦状態を示す。
【図２】参考例１の変倍光学系の広角端合焦状態における無限遠合焦時の球面収差図、非点収差図及び歪曲収差図ある。
【図３】参考例１の変倍光学系の中間焦点位置合焦状態における無限遠合焦時の球面収差図、非点収差図及び歪曲収差図ある。
【図４】参考例１の変倍光学系の望遠端合焦状態における無限遠合焦時の球面収差図、非点収差図及び歪曲収差図ある。
【図５】本件発明の参考例２の変倍光学系のレンズ構成例を示す断面図であり、上段が広角端合焦状態、中段が中間焦点位置合焦状態、下段が望遠端合焦状態を示す。
【図６】参考例２の変倍光学系の広角端合焦状態における無限遠合焦時の球面収差図、非点収差図及び歪曲収差図ある。
【図７】参考例２の変倍光学系の中間焦点位置合焦状態における無限遠合焦時の球面収差図、非点収差図及び歪曲収差図ある。
【図８】参考例２の変倍光学系の望遠端合焦状態における無限遠合焦時の球面収差図、非点収差図及び歪曲収差図ある。
【図９】本件発明の参考例３の変倍光学系のレンズ構成例を示す断面図であり、上段が広角端合焦状態、中段が中間焦点位置合焦状態、下段が望遠端合焦状態を示す。
【図１０】参考例３の変倍光学系の広角端合焦状態における無限遠合焦時の球面収差図、非点収差図及び歪曲収差図ある。
【図１１】参考例３の変倍光学系の中間焦点位置合焦状態における無限遠合焦時の球面収差図、非点収差図及び歪曲収差図ある。
【図１２】参考例３の変倍光学系の望遠端合焦状態における無限遠合焦時の球面収差図、非点収差図及び歪曲収差図ある。
【図１３】本件発明の実施例１の変倍光学系のレンズ構成例を示す断面図であり、上段が広角端合焦状態、中段が中間焦点位置合焦状態、下段が望遠端合焦状態を示す。
【図１４】実施例１の変倍光学系の広角端合焦状態における無限遠合焦時の球面収差図、非点収差図及び歪曲収差図ある。
【図１５】実施例１の変倍光学系の中間焦点位置合焦状態における無限遠合焦時の球面収差図、非点収差図及び歪曲収差図ある。
【図１６】実施例１の変倍光学系の望遠端合焦状態における無限遠合焦時の球面収差図、非点収差図及び歪曲収差図ある。
【図１７】本件発明の実施例２の変倍光学系のレンズ構成例を示す断面図であり、上段が広角端合焦状態、中段が中間焦点位置合焦状態、下段が望遠端合焦状態を示す。
【図１８】実施例２の変倍光学系の広角端合焦状態における無限遠合焦時の球面収差図、非点収差図及び歪曲収差図ある。
【図１９】実施例２の変倍光学系の中間焦点位置合焦状態における無限遠合焦時の球面収差図、非点収差図及び歪曲収差図ある。
【図２０】実施例２の変倍光学系の望遠端合焦状態における無限遠合焦時の球面収差図、非点収差図及び歪曲収差図ある。
【図２１】本件発明の実施例３の変倍光学系のレンズ構成例を示す断面図であり、上段が広角端合焦状態、中段が中間焦点位置合焦状態、下段が望遠端合焦状態を示す。
【図２２】実施例３の変倍光学系の広角端合焦状態における無限遠合焦時の球面収差図、非点収差図及び歪曲収差図ある。
【図２３】実施例３の変倍光学系の中間焦点位置合焦状態における無限遠合焦時の球面収差図、非点収差図及び歪曲収差図ある。
【図２４】実施例３の変倍光学系の望遠端合焦状態における無限遠合焦時の球面収差図、非点収差図及び歪曲収差図ある。
【図２５】本件発明の実施例４の変倍光学系のレンズ構成例を示す断面図であり、上段が広角端合焦状態、中段が中間焦点位置合焦状態、下段が望遠端合焦状態を示す。
【図２６】実施例４の変倍光学系の広角端合焦状態における無限遠合焦時の球面収差図、非点収差図及び歪曲収差図ある。
【図２７】実施例４の変倍光学系の中間焦点位置合焦状態における無限遠合焦時の球面収差図、非点収差図及び歪曲収差図ある。
【図２８】実施例４の変倍光学系の望遠端合焦状態における無限遠合焦時の球面収差図、非点収差図及び歪曲収差図ある。
【図２９】本件発明の実施例５の変倍光学系のレンズ構成例を示す断面図であり、上段が広角端合焦状態、中段が中間焦点位置合焦状態、下段が望遠端合焦状態を示す。
【図３０】実施例５の変倍光学系の広角端合焦状態における無限遠合焦時の球面収差図、非点収差図及び歪曲収差図ある。
【図３１】実施例５の変倍光学系の中間焦点位置合焦状態における無限遠合焦時の球面収差図、非点収差図及び歪曲収差図ある。
【図３２】実施例５の変倍光学系の望遠端合焦状態における無限遠合焦時の球面収差図、非点収差図及び歪曲収差図ある。
【図３３】本件発明の実施例６の変倍光学系のレンズ構成例を示す断面図であり、上段が広角端合焦状態、中段が中間焦点位置合焦状態、下段が望遠端合焦状態を示す。
【図３４】実施例６の変倍光学系の広角端合焦状態における無限遠合焦時の球面収差図、非点収差図及び歪曲収差図ある。
【図３５】実施例６の変倍光学系の中間焦点位置合焦状態における無限遠合焦時の球面収差図、非点収差図及び歪曲収差図ある。
【図３６】実施例６の変倍光学系の望遠端合焦状態における無限遠合焦時の球面収差図、非点収差図及び歪曲収差図ある。
【図３７】本件発明に係る撮像装置の一例を示す模式図である。
【発明を実施するための形態】
【００１５】
以下、本件発明に係る変倍光学系及び撮像装置の実施の形態を説明する。但し、以下に説明する当該変倍光学系及び撮像装置は本件発明に係る変倍光学系及び撮像装置の一態様であって、本件発明に係る変倍光学系は以下の態様に限定されるものではない。
【００１６】
１．変倍光学系
１−１．変倍光学系の構成
まず、本件発明に係る変倍光学系の実施の形態を説明する。本件発明に係る変倍光学系は、物体側から順に配置された、正の屈折力の第１レンズ群と、負の屈折力の第２レンズ群と、正の屈折力の第３レンズ群と、正の屈折力の第４レンズ群と、後続レンズ群とから構成され、広角端から望遠端への変倍の際に、前記第１レンズ群及び前記第２レンズ群の間隔が大きくなり、前記第２レンズ群及び前記第３レンズ群の間隔が小さくなるように、少なくとも前記第２レンズ群を移動させ、後述する所定の条件式を満足することを特徴とする。まず、本件発明に係る光学系の構成について説明し、条件式に関する事項は後で説明するものとする。当該構成を採用すると共に、所定の条件式を満足させることにより、高い変倍比を有し、且つ、変倍域全域にわたって良好な光学性能を有する小型の変倍光学系を提供することが可能になる。
【００１７】
（１）第１レンズ群
第１レンズ群は、全体として正の屈折力を有する限り、その具体的なレンズ構成は特に限定されるものではない。また、広角端から望遠端への変倍の際における第１レンズ群の動作についても特に限定されるものではなく、第１レンズ群は光軸方向に固定される固定群であってもよいし、光軸方向に移動させる移動群であってもよい。しかしながら、当該変倍光学系全体の小型化、軽量化を図ることが容易になるという観点から、広角端から望遠端への変倍の際に第１レンズ群を光軸方向に固定することが好ましい。当該変倍光学系において、第１レンズ群は、他のレンズ群と比較すると、外径が大きいレンズで構成され、正レンズを多く含むため重い。そのため、変倍の際に第１レンズ群を固定群とすれば、変倍の際にレンズ群を移動させるための移動機構の小型化、軽量化を図ることが容易になり、当該変倍光学系全体の小型化、軽量化を図ることが容易になるためである。
【００１８】
（２）第２レンズ群
第２レンズ群は、全体として負の屈折力を有する限り、その具体的なレンズ構成は特に限定されるものではない。広角端から望遠端への変倍の際に、第１レンズ群及び第２レンズ群の間隔が大きく、第２レンズ群及び第３レンズ群の間隔が小さくなるように、少なくとも前記第２レンズ群を移動させる。当該変倍光学系において、第２レンズ群はバリエータとして機能し、当該第２レンズ群を移動させることによって、当該変倍光学系の焦点距離を変化させる。第２レンズ群の移動の方向は特に限定されないが、第１レンズ群を変倍の際に光軸方向に固定したとき、第２レンズ群は像側に移動させるものとする。
【００１９】
（３）第３レンズ群
第３レンズ群は、全体として正の屈折力を有する限り、その具体的なレンズ構成は特に限定されるものではない。また、広角端から望遠端への変倍の際における第３レンズ群の動作についても特に限定されるものではなく、第３レンズ群は光軸方向に固定される固定群であってもよいし、光軸方向に移動させる移動群であってもよい。しかしながら、第３レンズ群を固定群とすれば、当該第３レンズ群を変倍の際に移動するための移動機構が不要になることから、当該変倍光学系全体の小型化、軽量化を図る上で、第３レンズ群を固定群とすることが好ましい。
【００２０】
（４）第４レンズ群
第４レンズ群は、全体として正の屈折力を有する限り、その具体的なレンズ構成は特に限定されるものではない。また、広角端から望遠端への変倍の際における第４レンズ群の動作についても特に限定されるものではなく、第４レンズ群は光軸方向に固定される固定群であってもよいし、光軸方向に移動させる移動群であってもよい。しかしながら、第４レンズ群を移動群とすれば、第２レンズ群と第４レンズ群とで変倍作用を分担することができる。第２レンズ群にのみ変倍作用を持たせる場合と比較すると、変倍時における収差変動を抑制することができる。このため、少ない枚数のレンズで収差補正を良好に行うことができ、解像度の高い変倍光学系を小型に構成することが容易になる。
【００２１】
（４）後続レンズ群
後続レンズ群の具体的なレンズ群構成は特に限定されるものではない。当該後続レンズ群は一つのレンズ群から構成されてもよいし、複数のレンズ群から構成されていてもよい。また、後続レンズ群が一つのレンズ群から構成される場合、或いは、複数のレンズ群から構成される場合、各レンズ群の具体的な構成は特に限定されるものではない。なお、当該後続レンズ群において、最も物体側に配置されるレンズ群を以下では第５レンズ群と称するものとする。
【００２２】
広角端から望遠端への変倍の際における後続レンズ群の動作についても特に限定されるものではなく、当該後続レンズ群は光軸方向に固定される固定群であってもよいし、光軸方向に移動させる移動群であってもよい。また、当該後続レンズ群が複数のレンズ群から構成されるとき、各々のレンズ群はそれぞれ固定群であってもよいし、移動群であってもよい。しかしながら、高い変倍比を実現したときも、変倍域全域にわたって良好な光学性能を実現することがより容易になるという観点から、第５レンズ群を移動群とすることが好ましい。
【００２３】
当該後続レンズ群を複数のレンズ群から構成する場合、例えば、物体側から順に配置された、負の屈折力の第５レンズ群と、正の屈折力の第６レンズ群とを有する構成とすることができる。当該構成によれば、高い変倍比を実現したときも、当該変倍光学系の小型化を図ることができ、変倍域全域にわたって良好な光学性能を実現することがより容易になる。なお、この場合、第６レンズ群の像側に正又は負の屈折力を有する第７レンズ群等、他のレンズ群を備えていてもよい。
【００２４】
（５）開口絞り
本件発明に係る変倍光学系において開口絞りの配置は特に限定されるものではない。しかしながら、当該変倍光学系の小型化を図ると共に、明るく、より良好な光学性能を実現するという観点から、開口絞りは第３レンズ群に設けられることが好ましい。第３レンズ群に開口絞りが設けられるとは、開口絞りが第３レンズ群の最も物体側、第３レンズ群内に、或いは第３レンズ群の像側のいずれかに配置されることをいうものとする。
【００２５】
（６）合焦群
当該変倍光学系において、後続レンズ群の全体又は一部を合焦群として用い、無限遠から近距離物体への合焦を行うことが好ましい。当該変倍光学系において、第１レンズ群〜第４レンズ群と比較すると後続レンズ群は小型、軽量に構成することができる。そのため、後続レンズ群の全体又は一部を合焦群として用いれば、合焦群の小型化、軽量化を図ることができる。そのため、迅速な合焦動作を行わせることができる。また、合焦群の小型化、軽量化を図ることにより、合焦群を移動させるための駆動機構の小型化、軽量化を図ることが容易になるため、当該変倍光学系全体の小型化、軽量化が容易になる。
【００２６】
（６）防振レンズ群
当該変倍光学系を構成するレンズ群のうち、いずれか一のレンズ群、若しくはそのレンズ群の一部を光軸に対して垂直方向に移動させることで、撮像時の像ブレを補正する防振レンズ群として構成してもよい。
【００２７】
１−２．条件式
次に、当該変倍光学系が満たすべき条件、又は、満足することが好ましい条件について説明する。
【００２８】
当該変倍光学系は、以下の条件式（１）及び条件式（２）を満足することを特徴とする。
【００２９】
（１）  ３．０  ＜  ｜ｍ２／ｆ２｜  ＜  １２．０
（２）  ０．４５  ＜  （β２ｔ／β２ｗ）／（Ｆｔ／Ｆｗ）  ＜  １．０
【００３０】
但し、
ｍ２は、広角端から望遠端への変倍の際の前記第２レンズ群の光軸方向における移動量であり、
ｆ２は、前記第２レンズ群の焦点距離であり、
β２ｗは、広角端における前記第２レンズ群の横倍率であり、
β２ｔは、望遠端における前記第２レンズ群の横倍率であり、
Ｆｗは、広角端における当該変倍光学系全系の焦点距離であり、
Ｆｔは、望遠端における当該変倍光学系全系の焦点距離である。
【００３１】
１−２−１．条件式（１）
条件式（１）は、第２レンズ群の移動量と焦点距離の比を規定した式である。条件式（１）を満足することにより、高変倍比を実現したときも当該変倍光学系の小型化を図ることができ、且つ、変倍域全域にわたって良好な光学性能を実現することができる。
【００３２】
これに対して、条件式（１）の数値が上限値以上になると、第２レンズ群の屈折力が強くなり過ぎ、像面湾曲、非点収差の補正が困難になる。そのため、変倍域全域にわたって良好な光学性能を維持することが困難になる。一方、条件式（１）の数値が下限値以下になると、第２レンズ群の屈折力が弱くなり、当該変倍光学系において高変倍比を実現すると共に、小型化を実現することが困難になる。
【００３３】
これらの効果を得る上で、条件式（１）の上限値は、９．０であることが好ましい。また、条件式（１）の下限値は３．０であることが好ましい。
【００３４】
１−２−２．条件式（２）    
条件式（２）は、広角端及び望遠端における第２レンズ群の横倍率と当該変倍光学系全系の焦点距離との関係を規定した式である。条件式（２）を満足することにより、高変倍比を実現したときも当該変倍光学系の小型化を図ることができ、より光学性能の高い変倍光学系を得ることができる。
【００３５】
これに対して、条件式（２）の数値が上限値以上になると、第２レンズ群の屈折力が強くなり、像面湾曲、非点収差の補正が困難になる。そのため、変倍域全域にわたって良好な光学性能を維持することが困難になる。一方、条件式（２）の数値が下限値以下になると、第２レンズ群の屈折力が弱くなり過ぎ、当該変倍光学系において高変倍比を実現すると共に、小型化を実現することが困難になる。
【００３６】
１−２−３．条件式（３）
当該変倍光学系は、以下の条件式（３）を満足することが好ましい。
【００３７】
（３）  ３．０  ＜  ｜β２ｔ｜  ＜  ９．０
【００３８】
条件式（３）は、望遠端における第２レンズ群の横倍率を規定した式である。条件式（３）を満足することで高変倍比を実現しつつ、当該変倍光学系の小型化を図ることがより容易になる。
【００３９】
これに対して、条件式（３）の数値が上限値以上になると、第２レンズ群の屈折力が強くなり、像面湾曲、非点収差の補正が困難になる。そのため、変倍域全域にわたって良好な光学性能を維持することが困難になる。一方、条件式（２）の数値が下限値以下になると、第２レンズ群の屈折力が弱くなり過ぎ、当該変倍光学系において高変倍比を実現すると共に、小型化を実現することが困難になる。
【００４０】
これらの効果を得る上で、条件式（３）の上限値は、８．５であることが好ましい。また、条件式（３）の下限値は３．０であることが好ましい。
【００４１】
１−２−４．条件式（４）
当該変倍光学系は、以下の条件式（４）を満足することが好ましい。
【００４２】
（４）  ０．０８  ＜  ｜ｆ４／Ｆｔ｜  ＜  ０．３
但し、
ｆ４は、第４レンズ群の焦点距離である。
【００４３】
条件式（４）は、第４レンズ群の焦点距離と望遠端における当該変倍光学系全系の焦点距離の比を規定した式である。条件式（４）を満足することで、後続レンズ群で発生した球面収差、像面湾曲を抑制することができ、変倍域全域にわたってより解像度の高い変倍光学系を得ることができる。
【００４４】
これに対して、条件式（４）の数値が上限値以上になると、第４レンズ群の屈折力が弱くなり過ぎ、当該変倍光学系において高変倍比を実現すると共に、小型化を実現することが困難になる。一方、条件式（４）の数値が下限値以下になると、第２レンズ群の屈折力が強くなり、球面収差、像面湾曲の補正が困難になる。そのため、変倍域全域にわたって良好な光学性能を維持することが困難になる。
【００４５】
これらの効果を得る上で、条件式（４）の上限値は、０．２５であることが好ましい。また、条件式（４）の下限値は０．０８であることが好ましい。
【００４６】
１−２−５．条件式（５）
当該変倍光学系において、後続レンズ群において最も物体側に配置される第５レンズ群が以下の条件式（５）を満足することが好ましい。
【００４７】
（５）  ０．０８  ＜  ｜ｆ５／Ｆｔ｜  ＜  ０．３
但し、
ｆ５は、第５レンズ群の焦点距離である。
【００４８】
条件式（５）は、第５レンズ群の焦点距離と望遠端における当該変倍光学系全系の焦点距離の比を規定した式である。条件式（５）を満足することで、後続レンズ群で発生した球面収差、像面湾曲を抑制することができ、変倍域全域にわたってより解像度の高い変倍光学系を得ることができる。
【００４９】
これに対して、条件式（５）の数値が上限値以上になると、第５レンズ群の屈折力が弱くなり過ぎ、当該変倍光学系において高変倍比を実現すると共に、小型化を実現することが困難になる。一方、条件式（５）の数値が下限値以下になると、第２レンズ群の屈折力が強くなり、球面収差、像面湾曲の補正が困難になる。そのため、変倍域全域にわたって良好な光学性能を維持することが困難になる。
【００５０】
これらの効果を得る上で、条件式（５）の上限値は、０．２５であることが好ましい。また、条件式（５）の下限値は０．０８であることが好ましい。
【００５１】
１−２−６．条件式（６）
当該変倍光学系は、以下の条件式（６）を満足することが好ましい。
【００５２】
（６）  ０．３＜  ＴＴＬ／Ｆｔ  ＜  ０．８
但し、
Ｆｔは、望遠端における当該変倍光学系全系の焦点距離であり、
ＴＴＬは、望遠端における当該変倍光学系全系の全長である。
【００５３】
条件式（６）は、当該変倍光学系全系の全長と望遠端における当該変倍光学系の焦点距離との比を規定した式である。条件式（６）を満足することにより、高変倍比を実現したときも全長方向の小型化を図ることができる。また、条件式（６）を満足することにより、像面湾曲や軸上色収差の補正を良好に行うことができ、変倍域全域にわたって良好な光学性能を実現することができる。
【００５４】
条件式（６）の数値が上限値以上になると、変倍比の高い変倍光学系としたときに、当該変倍光学系全系の全長が長くなるため、小型の変倍光学系を実現することが困難になる。一方、条件式（６）の数値が下限値以下になると、像面湾曲や軸上色収差の補正が困難になり、変倍域全域にわたって良好な光学性能を維持することが困難になる。
【００５５】
これらの効果を得る上で、条件式（６）の上限値は０．７８であることが好ましく、０．７５であることがより好ましい。条件式（６）の上限値が小さいほど、高い変倍比を実現した場合も、当該変倍光学系の小型化を図ることがより容易になる。一方、条件式（６）の下限値は、０．３５であることが好ましく、０．４０であることがより好ましい。条件式（６）の下限値が大きいほど、像面湾曲や軸上色収差の補正が容易になり、変倍域全域にわたって良好な光学性能を維持することがより容易になる。
【００５６】
２．撮像装置
次に、本件発明に係る撮像装置について説明する。本件発明に係る撮像装置は、上記本件発明に係る変倍光学系と、当該変倍光学系の像面側に設けられた、当該変倍光学系によって形成された光学像を電気的信号に変換する撮像素子とを備えたことを特徴とする。
【００５７】
ここで、撮像素子等に特に限定はなく、ＣＣＤ（Charge Coupled Device）センサやＣＭＯＳ（Complementary Metal Oxide Semiconductor）センサなどの固体撮像素子等も用いることができる。本件発明に係る撮像装置は、デジタルカメラやビデオカメラ等のこれらの固体撮像素子を用いた撮像装置に好適である。また、当該撮像装置は、レンズが筐体に固定されたレンズ固定式の撮像装置であってもよいし、一眼レフカメラやミラーレス一眼カメラ等のレンズ交換式の撮像装置であってもよいのは勿論である。
【００５８】
具体的な構成例を図３７に示す。図３７は、レンズ交換式の撮像装置１の断面を模式的に表した図である。図３７に示すように、当該レンズ交換式の撮像装置１は、変倍光学系を収容した鏡筒部２が、当該撮像装置１のマウント部３に着脱自在に固定されている。当該撮像装置１は、変倍光学系の像側に上記撮像素子４を備え、この撮像素子４の撮像面に変倍光学系によって光学像が結像される。撮像面に結像された光学像は、当該撮像素子４において電気信号に変換される。当該電気信号に基づいて生成された画像データは、撮像装置１の背面に設けられたバックモニタ５等の画像出力装置に出力される。
【００５９】
上記本件発明に係る変倍光学系は、高い解像力を有し、変倍域全域にわたって高い光学性能を有する。また、上記変倍光学系は、高い変倍比を実現しつつ、小型に構成することが可能である。そのため、撮像素子４の画素数が高く、高感度であっても、輪郭の鮮明な被写体像を得ることができる。そのため、本件発明に係る変倍光学系を備えた撮像装置は、画像の一部を拡大して、被写体の細部の確認を要するような用途、例えば、監視用撮像装置等に好適である。
【００６０】
なお、本件発明において変倍光学系とは、ズームレンズ、バリフォーカルレンズ等の焦点距離が可変の可変焦点レンズを意味する。
【００６１】
次に、実施例を示して本件発明を具体的に説明する。但し、本件発明は以下の実施例に限定されるものではない。以下に挙げる各実施例の光学系は、デジタルカメラ、ビデオカメラ、銀塩フィルムカメラ等の撮像装置（光学装置）に用いられる撮像光学系であり、特に、監視用撮像装置等の据付設置型の撮像装置に好ましく適用することができる。また、各レンズ断面図において、図面に向かって左方が物体側、右方が像面側である。
【００６２】
〔参考例１〕
（１）光学系の構成
図１に、本件発明に係る参考例１の光学系であるズームレンズの広角端状態（Wide）、中間焦点位置状態（Mid）、望遠端状態（Tele）におけるレンズ構成を示す。なお、図中に変倍時における各レンズ群の軌跡を矢印で示す。
【００６３】
参考例１のズームレンズは、物体側から順に正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、負の屈折力を有する第６レンズ群Ｇ６と、正の屈折力を有する第７レンズ群Ｇ７とから構成されている。具体的なレンズ構成は図１に示すとおりである。
【００６４】
また、図１において、「ＣＧ」はカバーガラス等の実質的な屈折力を有さない平行平板である。また、「Ｉ」は像面であり、具体的にはＣＣＤセンサ、ＣＭＯＳセンサ等の固体撮像素子の撮像面、或いは、銀塩フィルムのフィルム面等を表す。これらの点は、他の実施例で示す各レンズ断面図においても同様であるため、以下では説明を省略する。
【００６５】
当該ズームレンズでは、広角端から望遠端への変倍の際に、第１レンズ群Ｇ１を光軸方向に固定し、第２レンズ群Ｇ２を像側に移動させ、第３レンズ群Ｇ３を光軸方向に固定し、第４レンズ群Ｇ４を像側に移動させ、第５レンズ群Ｇ５を物体側に凸の軌跡で移動させ、第６レンズ群Ｇ６を物体側に移動させ、第７レンズ群Ｇ７を光軸方向に固定する。また、開口絞りＳは、第３レンズ群Ｇ３の物体側に配置されており、変倍の際に開口絞りＳは第３レンズ群Ｇ３と共に光軸方向に固定される。なお、第２レンズ群Ｇ２はバリエータであり、第４レンズ群Ｇ４、第５レンズ群Ｇ５、第６レンズ群Ｇ６はそれぞれコンペンセータとして機能する。
【００６６】
また、当該ズームレンズでは、無限遠物体から近距離物体への合焦の際、第５レンズ群Ｇ５を光軸に沿って物体側に移動することにより合焦する。また、第７レンズ群Ｇ７は光軸に対して垂直方向に移動可能に構成されており、撮像時の像ブレを補正する防振レンズ群ＶＣとして機能する。
【００６７】
（２）数値実施例
次に、当該ズームレンズの具体的数値を適用した数値実施例について説明する。表１に当該ズームレンズの面データを示す。表１において、「面番号」は物体側から数えたレンズ面の順番、「ｒ」はレンズ面の曲率半径、「ｄ」はレンズ面の光軸上の間隔、「ｎｄ」はｄ線（波長λ＝５８７．５６ｎｍ）に対する屈折率、「νｄ」はｄ線に対するアッベ数を示している。また、面番号の次に付したアスタリスク「＊」は当該レンズ面が非球面であることを表し、「Ｓ」は開口絞りを示している。また、Ｄ（７）等は、当該レンズ面の光軸上の間隔が変倍時に変化する可変間隔であることを示す。
【００６８】
表２に、非球面データを示す。非球面データは、下記式で非球面を定義したときの円錐係数、各次数の非球面係数を示す。
【００６９】
z=ch2/[1+{1-(1+k)c2h2}1/2+A4h4+A6h6+A8h8+A10h10・・・
但し、cは曲率（1/r）、hは光軸からの高さ、kは円錐係数、A4、A6、A8、A10・・・は各次数の非球面係数である。
【００７０】
表３に各種データを示す。各種データは広角端、中間焦点位置、望遠端における各種データを示している。当該表において、「Ｆ」は当該ズームレンズの無限遠合焦時における焦点距離（ｍｍ）、「Ｆｎｏ．」は当該ズームレンズのＦナンバー、「ω」は当該光学系の半画角（°）、Ｄ（７）等は各レンズ面間の可変間隔を示している。表４に各レンズ群の焦点距離を示す。
【００７１】
また、表３７に当該ズームレンズの上記各条件式（１）〜条件式（６）の数値を示す。これらの各表に関する事項は、他の実施例で示す各表においても同様であるため、以下では説明を省略する。
【００７２】
また、図２〜図４に当該参考例１のズームレンズの広角端、中間焦点位置、望遠端における無限遠合焦時の縦収差図をそれぞれ示す。各図に示す縦収差図は、図面に向かって左側から順に、それぞれ球面収差（ｍｍ）、非点収差（ｍｍ）、歪曲収差（％）である。
【００７３】
球面収差図において、縦軸はＦナンバー（図中、ＦＮＯで示す）を表し、実線がｄ線（波長587.56nm）、一点鎖線がＣ線（波長656.27nm）、破線がＦ線（波長486.13nm）における特性である。
【００７４】
非点収差図において、縦軸は半画角（ω）を表し、実線がｄ線（波長587.56nm）に対するサジタル像面（ｄｓ）、点線がｄ線に対するメリジオナル像面（ｄｍ）における特性である。
【００７５】
歪曲収差図において、縦軸は半画角（ω）を表し、ｄ線（波長587.56nm）における特性を示している。
【００７６】
これらの縦収差図に関する事項は、他の実施例で示す縦収差図においても同様であるため、以下では説明を省略する。
【００７７】
【表１】
0006742149.tif 000002
【００７８】
【表２】
0006742149.tif 000003
【００７９】
【表３】
0006742149.tif 000004
【００８０】
【表４】
0006742149.tif 000005
【００８１】
〔参考例２〕
（１）光学系の構成
図５に、本件発明に係る参考例２の光学系であるズームレンズの広角端状態（Wide）、中間焦点位置状態（Mid）、望遠端状態（Tele）におけるレンズ構成を示す。
【００８２】
参考例２のズームレンズは、物体側から順に正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、負の屈折力を有する第６レンズ群Ｇ６と、正の屈折力を有する第７レンズ群Ｇ７とから構成されている。具体的なレンズ構成は図５に示すとおりである。
【００８３】
当該ズームレンズでは、広角端から望遠端への変倍の際に、第１レンズ群Ｇ１を光軸方向に固定し、第２レンズ群Ｇ２を像側に移動させ、第３レンズ群Ｇ３を光軸方向に固定し、第４レンズ群Ｇ４を像側に移動させ、第５レンズ群Ｇ５を物体側に凸の軌跡で移動させ、第６レンズ群Ｇ６を物体側に移動させ、第７レンズ群Ｇ７を光軸方向に固定する。また、開口絞りＳは、第３レンズ群Ｇ３の物体側に配置されており、変倍の際に開口絞りＳは第３レンズ群Ｇ３と共に光軸方向に固定される。なお、第２レンズ群Ｇ２はバリエータであり、第４レンズ群Ｇ４、第５レンズ群Ｇ５、第６レンズ群Ｇ６はそれぞれコンペンセータとして機能する。
【００８４】
また、当該ズームレンズでは、無限遠物体から近距離物体への合焦の際、第５レンズ群Ｇ５を光軸に沿って物体側に移動することにより合焦する。また、第２レンズ群Ｇ２は光軸に対して垂直方向に移動可能に構成されており、撮像時の像ブレを補正する防振レンズ群ＶＣとして機能する。
【００８５】
（２）数値実施例
次に、当該ズームレンズの具体的数値を適用した数値実施例について説明する。表５に、当該ズームレンズの面データを示し、表６〜表８に非球面データ、各種データ、各レンズ群の焦点距離を示す。また、表３７に当該光学系の上記各条件式（１）〜条件式（６）の数値を示す。さらに、図６〜図８に当該ズームレンズの広角端状態、中間合焦位置状態、望遠端状態における無限遠合焦時の縦収差図を示す。
【００８６】
【表５】
0006742149.tif 000006
【００８７】
【表６】
0006742149.tif 000007
【００８８】
【表７】
0006742149.tif 000008
【００８９】
【表８】
0006742149.tif 000009
【００９０】
〔参考例３〕
（１）光学系の構成
図９に、本件発明に係る参考例３の変倍光学系であるズームレンズの広角端状態（Wide）、中間焦点位置状態（Mid）、望遠端状態（Tele）におけるレンズ構成を示す。
【００９１】
参考例３のズームレンズは、物体側から順に正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、負の屈折力を有する第６レンズ群Ｇ６とから構成されている。具体的なレンズ構成は図９に示すとおりである。
【００９２】
当該ズームレンズでは、広角端から望遠端への変倍の際に、第１レンズ群Ｇ１を光軸方向に固定し、第２レンズ群Ｇ２を像側に移動させ、第３レンズ群Ｇ３を光軸方向に固定し、第４レンズ群Ｇ４を像側に移動させ、第５レンズ群Ｇ５を物体側に凸の軌跡で移動させ、第６レンズ群Ｇ６を光軸方向に固定する。また、開口絞りＳは、第３レンズ群Ｇ３の物体側に配置されており、変倍の際に開口絞りＳは第３レンズ群Ｇ３と共に光軸方向に固定される。なお、第２レンズ群Ｇ２はバリエータであり、第４レンズ群Ｇ４、第５レンズ群Ｇ５はそれぞれコンペンセータとして機能する。
【００９３】
また、当該ズームレンズでは、無限遠物体から近距離物体への合焦の際、第５レンズ群Ｇ５を光軸に沿って物体側に移動することにより合焦する。また、第６レンズ群Ｇ６は光軸に対して垂直方向に移動可能に構成されており、撮像時の像ブレを補正する防振レンズ群ＶＣとして機能する。
【００９４】
（２）数値実施例
次に、当該ズームレンズの具体的数値を適用した数値実施例について説明する。表９に、当該ズームレンズの面データを示し、表１０〜表１２に非球面データ、各種データ、各レンズ群の焦点距離を示す。また、表３７に当該光学系の上記各条件式（１）〜条件式（６）の数値を示す。さらに、図１０〜図１２に当該ズームレンズの広角端状態、中間合焦位置状態、望遠端状態における無限遠合焦時の縦収差図を示す。
【００９５】
【表９】
0006742149.tif 000010
【００９６】
【表１０】
0006742149.tif 000011
【００９７】
【表１１】
0006742149.tif 000012
【００９８】
【表１２】
0006742149.tif 000013
【実施例１】
【００９９】
（１）光学系の構成
図１３に、本件発明に係る実施例１の光学系であるズームレンズの広角端状態（Wide）、中間焦点位置状態（Mid）、望遠端状態（Tele）におけるレンズ構成を示す。
【０１００】
実施例１のズームレンズは、物体側から順に正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とから構成されている。具体的なレンズ構成は図１３に示すとおりである。
【０１０１】
当該ズームレンズでは、広角端から望遠端への変倍の際に、第１レンズ群Ｇ１を光軸方向に固定し、第２レンズ群Ｇ２を像側に移動させ、第３レンズ群Ｇ３を光軸方向に固定し、第４レンズ群Ｇ４を物体側に移動させ、第５レンズ群Ｇ５を物体側に移動させ、第６レンズ群Ｇ６を像側に移動させる。また、開口絞りＳは、第３レンズ群Ｇ３の物体側に配置されており、変倍の際に開口絞りＳは第３レンズ群Ｇ３と共に光軸方向に固定される。なお、第２レンズ群Ｇ２はバリエータであり、第４レンズ群Ｇ４、第５レンズ群Ｇ５及び第６レンズ群Ｇ６はそれぞれコンペンセータとして機能する。
【０１０２】
また、当該ズームレンズでは、無限遠物体から近距離物体への合焦の際、第５レンズ群Ｇ５を光軸に沿って物体側に移動することにより合焦する。また、第６レンズ群Ｇ６は光軸に対して垂直方向に移動可能に構成されており、撮像時の像ブレを補正する防振レンズ群ＶＣとして機能する。
【０１０３】
（２）数値実施例
次に、当該ズームレンズの具体的数値を適用した数値実施例について説明する。表１３に、当該ズームレンズの面データを示し、表１４〜表１６に非球面データ、各種データ、各レンズ群の焦点距離を示す。また、表３７に当該光学系の上記各条件式（１）〜条件式（６）の数値を示す。さらに、図１４〜図１６に当該ズームレンズの広角端状態、中間合焦位置状態、望遠端状態における無限遠合焦時の縦収差図を示す。
【０１０４】
【表１３】
0006742149.tif 000014
【０１０５】
【表１４】
0006742149.tif 000015
【０１０６】
【表１５】
0006742149.tif 000016
【０１０７】
【表１６】
0006742149.tif 000017
【実施例２】
【０１０８】
（１）光学系の構成
図１７に、本件発明に係る実施例２の光学系であるズームレンズの広角端状態（Wide）、中間焦点位置状態（Mid）、望遠端状態（Tele）におけるレンズ構成を示す。
【０１０９】
実施例２のズームレンズは、物体側から順に正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とから構成されている。具体的なレンズ構成は図１７に示すとおりである。
【０１１０】
当該ズームレンズでは、広角端から望遠端への変倍の際に、第１レンズ群Ｇ１を光軸方向に固定し、第２レンズ群Ｇ２を像側に移動させ、第３レンズ群Ｇ３を光軸方向に固定し、第４レンズ群Ｇ４を物体側に移動させ、第５レンズ群Ｇ５を物体側に移動させ、第６レンズ群Ｇ６を像側に移動させる。また、開口絞りＳは、第３レンズ群Ｇ３の物体側に配置されており、変倍の際に開口絞りＳは第３レンズ群Ｇ３と共に光軸方向に固定される。なお、第２レンズ群Ｇ２はバリエータであり、第４レンズ群Ｇ４、第５レンズ群Ｇ５及び第６レンズ群Ｇ６はそれぞれコンペンセータとして機能する。
【０１１１】
また、当該ズームレンズでは、無限遠物体から近距離物体への合焦の際、第５レンズ群Ｇ５を光軸に沿って物体側に移動することにより合焦する。
【０１１２】
（２）数値実施例
次に、当該光学系の具体的数値を適用した数値実施例について説明する。表１７に、当該ズームレンズの面データを示し、表１８〜表２０に非球面データ、各種データ、各レンズ群の焦点距離を示す。また、表３７に当該光学系の上記各条件式（１）〜条件式（６）の数値を示す。さらに、図１８〜図２０に当該ズームレンズの広角端状態、中間合焦位置状態、望遠端状態における無限遠合焦時の縦収差図を示す。
【０１１３】
【表１７】
0006742149.tif 000018
【０１１４】
【表１８】
0006742149.tif 000019
【０１１５】
【表１９】
0006742149.tif 000020
【０１１６】
【表２０】
0006742149.tif 000021
【実施例３】
【０１１７】
（１）光学系の構成
図２１に、本件発明に係る実施例３の光学系であるズームレンズの広角端状態（Wide）、中間焦点位置状態（Mid）、望遠端状態（Tele）におけるレンズ構成を示す。
【０１１８】
実施例３のズームレンズは、物体側から順に正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とから構成されている。具体的なレンズ構成は図２１に示すとおりである。
【０１１９】
当該ズームレンズでは、広角端から望遠端への変倍の際に、第１レンズ群Ｇ１を光軸方向に固定し、第２レンズ群Ｇ２を像側に移動させ、第３レンズ群Ｇ３を光軸方向に固定し、第４レンズ群Ｇ４を物体側に移動させ、第５レンズ群Ｇ５を物体側に移動させ、第６レンズ群Ｇ６を像側に移動させる。また、開口絞りＳは、第３レンズ群Ｇ３の物体側に配置されており、変倍の際に開口絞りＳは第３レンズ群Ｇ３と共に光軸方向に固定される。なお、第２レンズ群Ｇ２はバリエータであり、第４レンズ群Ｇ４、第５レンズ群Ｇ５及び第６レンズ群Ｇ６はそれぞれコンペンセータとして機能する。
【０１２０】
また、当該ズームレンズでは、無限遠物体から近距離物体への合焦の際、第５レンズ群Ｇ５を光軸に沿って物体側に移動することにより合焦する。
【０１２１】
（２）数値実施例
次に、当該光学系の具体的数値を適用した数値実施例について説明する。表２１に、当該ズームレンズの面データを示し、表２２〜表２４に非球面データ、各種データ、各レンズ群の焦点距離を示す。また、表３７に当該光学系の上記各条件式（１）〜条件式（６）の数値を示す。さらに、図２２〜図２４に当該ズームレンズの広角端状態、中間合焦位置状態、望遠端状態における無限遠合焦時の縦収差図を示す。
【０１２２】
【表２１】
0006742149.tif 000022
【０１２３】
【表２２】
0006742149.tif 000023
【０１２４】
【表２３】
0006742149.tif 000024
【０１２５】
【表２４】
0006742149.tif 000025
【実施例４】
【０１２６】
（１）光学系の構成
図２５に、本件発明に係る実施例４の光学系であるズームレンズの広角端状態（Wide）、中間焦点位置状態（Mid）、望遠端状態（Tele）におけるレンズ構成を示す。
【０１２７】
実施例４のズームレンズは、物体側から順に正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とから構成されている。具体的なレンズ構成は図２５に示すとおりである。
【０１２８】
当該ズームレンズでは、広角端から望遠端への変倍の際に、第１レンズ群Ｇ１を光軸方向に固定し、第２レンズ群Ｇ２を像側に移動させ、第３レンズ群Ｇ３を光軸方向に固定し、第４レンズ群Ｇ４を物体側に移動させ、第５レンズ群Ｇ５を物体側に移動させ、第６レンズ群Ｇ６を光軸方向に固定する。また、開口絞りＳは、第３レンズ群Ｇ３の物体側に配置されており、変倍の際に開口絞りＳは第３レンズ群Ｇ３と共に光軸方向に固定される。なお、第２レンズ群Ｇ２はバリエータであり、第４レンズ群Ｇ４及び第５レンズ群Ｇ５はそれぞれコンペンセータとして機能する。
【０１２９】
また、当該ズームレンズでは、無限遠物体から近距離物体への合焦の際、第４レンズ群Ｇ４を光軸に沿って物体側に移動することにより合焦する。また、第５レンズ群Ｇ５は光軸に対して垂直方向に移動可能に構成されており、撮像時の像ブレを補正する防振レンズ群ＶＣとして機能する。
【０１３０】
（２）数値実施例
次に、当該光学系の具体的数値を適用した数値実施例について説明する。表２５に、当該ズームレンズの面データを示し、表２６〜表２８に非球面データ、各種データ、各レンズ群の焦点距離を示す。また、表３７に当該光学系の上記各条件式（１）〜条件式（６）の数値を示す。さらに、図２６〜図２９に当該ズームレンズの広角端状態、中間合焦位置状態、望遠端状態における無限遠合焦時の縦収差図を示す。
【０１３１】
【表２５】
0006742149.tif 000026
【０１３２】
【表２６】
0006742149.tif 000027
【０１３３】
【表２７】
0006742149.tif 000028
【０１３４】
【表２８】
0006742149.tif 000029
【実施例５】
【０１３５】
（１）光学系の構成
図２９に、本件発明に係る実施例５の光学系であるズームレンズの広角端状態（Wide）、中間焦点位置状態（Mid）、望遠端状態（Tele）におけるレンズ構成を示す。
【０１３６】
実施例５のズームレンズは、物体側から順に正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とから構成されている。具体的なレンズ構成は図２９に示すとおりである。
【０１３７】
当該ズームレンズでは、広角端から望遠端への変倍の際に、第１レンズ群Ｇ１を光軸方向に固定し、第２レンズ群Ｇ２を像側に移動させ、第３レンズ群Ｇ３を光軸方向に固定し、第４レンズ群Ｇ４を物体側に移動させ、第５レンズ群Ｇ５を物体側に移動させ、第６レンズ群Ｇ６を光軸方向に固定する。また、開口絞りＳは、第３レンズ群Ｇ３の物体側に配置されており、変倍の際に開口絞りＳは第３レンズ群Ｇ３と共に光軸方向に固定される。なお、第２レンズ群Ｇ２はバリエータであり、第４レンズ群Ｇ４及び第５レンズ群Ｇ５はそれぞれコンペンセータとして機能する。
【０１３８】
また、当該ズームレンズでは、無限遠物体から近距離物体への合焦の際、第４レンズ群Ｇ４を光軸に沿って物体側に移動することにより合焦する。また、第５レンズ群Ｇ５は光軸に対して垂直方向に移動可能に構成されており、撮像時の像ブレを補正する防振レンズ群ＶＣとして機能する。
【０１３９】
（２）数値実施例
次に、当該光学系の具体的数値を適用した数値実施例について説明する。表２９に、当該ズームレンズの面データを示し、表３０〜表３２に非球面データ、各種データ、各レンズ群の焦点距離を示す。また、表３７に当該光学系の上記各条件式（１）〜条件式（６）の数値を示す。さらに、図３０〜図３２に当該ズームレンズの広角端状態、中間合焦位置状態、望遠端状態における無限遠合焦時の縦収差図を示す。
【０１４０】
【表２９】
0006742149.tif 000030
【０１４１】
【表３０】
0006742149.tif 000031
【０１４２】
【表３１】
0006742149.tif 000032
【０１４３】
【表３２】
0006742149.tif 000033
【実施例６】
【０１４４】
（１）光学系の構成
図３３に、本件発明に係る実施例６の光学系であるズームレンズの広角端状態（Wide）、中間焦点位置状態（Mid）、望遠端状態（Tele）におけるレンズ構成を示す。
【０１４５】
実施例６のズームレンズは、物体側から順に正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とから構成されている。具体的なレンズ構成は図２９に示すとおりである。
【０１４６】
当該ズームレンズでは、広角端から望遠端への変倍の際に、第１レンズ群Ｇ１を光軸方向に固定し、第２レンズ群Ｇ２を像側に移動させ、第３レンズ群Ｇ３を光軸方向に固定し、第４レンズ群Ｇ４を物体側に移動させ、第５レンズ群Ｇ５を物体側に移動させ、第６レンズ群Ｇ６を光軸方向に固定する。また、開口絞りＳは、第３レンズ群Ｇ３の物体側に配置されており、変倍の際に開口絞りＳは第３レンズ群Ｇ３と共に光軸方向に固定される。なお、第２レンズ群Ｇ２はバリエータであり、第４レンズ群Ｇ４及び第５レンズ群Ｇ５はそれぞれコンペンセータとして機能する。
【０１４７】
また、当該ズームレンズでは、無限遠物体から近距離物体への合焦の際、第４レンズ群Ｇ４を光軸に沿って物体側に移動することにより合焦する。また、第５レンズ群Ｇ５は光軸に対して垂直方向に移動可能に構成されており、撮像時の像ブレを補正する防振レンズ群ＶＣとして機能する。
【０１４８】
（２）数値実施例
次に、当該光学系の具体的数値を適用した数値実施例について説明する。表３３に、当該ズームレンズの面データを示し、表３４〜表３６に非球面データ、各種データ、各レンズ群の焦点距離を示す。また、表３７に当該光学系の上記各条件式（１）〜条件式（６）の数値を示す。さらに、図３４〜図３６に当該ズームレンズの広角端状態、中間合焦位置状態、望遠端状態における無限遠合焦時の縦収差図を示す。
【０１４９】
【表３３】
0006742149.tif 000034
【０１５０】
【表３４】
0006742149.tif 000035
【０１５１】
【表３５】
0006742149.tif 000036
【０１５２】
【表３６】
0006742149.tif 000037
【０１５３】
【表３７】
0006742149.tif 000038
【産業上の利用可能性】
【０１５４】
本件発明によれば、高い変倍比を有し、且つ、変倍域全域にわたって良好な光学性能を有する小型の変倍光学系及び撮像装置を提供することができる。
【符号の説明】
【０１５５】
Ｇ１・・・第１レンズ群
Ｇ２・・・第２レンズ群
Ｇ３・・・第３レンズ群
Ｇ４・・・第４レンズ群
Ｇ５・・・第５レンズ群
Ｇ６・・・第６レンズ群
Ｇ７・・・第７レンズ群
Ｓ  ・・・開口絞り
Ｉ  ・・・像面
Ｆ  ・・・合焦群
ＶＣ・・・防振群
１・・・レンズ交換式の撮像装置
２・・・鏡筒部
３・・・マウント部
４・・・撮像素子
５・・・バックモニタ
【図１】
0006742149.tif 000039
【図２】
0006742149.tif 000040
【図３】
0006742149.tif 000041
【図４】
0006742149.tif 000042
【図５】
0006742149.tif 000043
【図６】
0006742149.tif 000044
【図７】
0006742149.tif 000045
【図８】
0006742149.tif 000046
【図９】
0006742149.tif 000047
【図１０】
0006742149.tif 000048
【図１１】
0006742149.tif 000049
【図１２】
0006742149.tif 000050
【図１３】
0006742149.tif 000051
【図１４】
0006742149.tif 000052
【図１５】
0006742149.tif 000053
【図１６】
0006742149.tif 000054
【図１７】
0006742149.tif 000055
【図１８】
0006742149.tif 000056
【図１９】
0006742149.tif 000057
【図２０】
0006742149.tif 000058
【図２１】
0006742149.tif 000059
【図２２】
0006742149.tif 000060
【図２３】
0006742149.tif 000061
【図２４】
0006742149.tif 000062
【図２５】
0006742149.tif 000063
【図２６】
0006742149.tif 000064
【図２７】
0006742149.tif 000065
【図２８】
0006742149.tif 000066
【図２９】
0006742149.tif 000067
【図３０】
0006742149.tif 000068
【図３１】
0006742149.tif 000069
【図３２】
0006742149.tif 000070
【図３３】
0006742149.tif 000071
【図３４】
0006742149.tif 000072
【図３５】
0006742149.tif 000073
【図３６】
0006742149.tif 000074
【図３７】
0006742149.tif 000075